(57)【要約】【課題】従来の電気掃除機は、本体ケースを組み合わせた状態で掃除機本体の嵌合穴にハンドル回動軸を嵌め込むようにしているので、ハンドルの取付けにあたりハンドルの回動軸間を大きく開く必要があり、組立性が悪かった。【解決手段】二つ以上の構成部品を組み合わせ、内部に電動送風機を内蔵する掃除機本体と、該掃除機本体に回動自在に設けられ、前記掃除機本体を持ち運ぶ際に使用する本体ハンドルとを有し、前記本体ハンドルは単品で構成されると共に、前記掃除機本体を構成する構成部品で挟み込むように設けた。【選択図】図１
2004216002.tif 000002
【特許請求の範囲】
【請求項１】
二つ以上の構成部品を組み合わせ、内部に電動送風機を内蔵する掃除機本体と、該掃除機本体に回動自在に設けられ、前記掃除機本体を持ち運ぶ際に使用する本体ハンドルとを有し、
前記本体ハンドルは単品で構成されると共に、前記掃除機本体を構成する構成部品で挟み込むように設けたことを特徴とする電気掃除機。
【請求項２】
請求項１において、
前記本体ハンドルの指がかかる所は、該本体ハンドルを前記掃除機本体に収納した時に、該掃除機本体により隠れるように設けたことを特徴とする電気掃除機。
【請求項３】
請求項１において、
前記掃除機本体に、前記本体ハンドルを収納する収納部を形成し、該収納部より掃除機本体内側に凸形状となるような箇所を設けることにより、他の部品を支持できるように設けたことを特徴とする電気掃除機。
【発明の詳細な説明】
【０００１】
【発明の属する技術分野】
本発明は、電気掃除機に関するものである。
【０００２】
【従来の技術】
従来の電気掃除機は、例えば特許文献１に開示されているように、掃除機本体を左右に分割した本体ケースで構成し、この本体ケースの分割面を跨ぐようにしてハンドルを設けていた。そして、掃除機本体の両側面にハンドルの回動軸を支持する部分を設け、ハンドルを掃除機本体に対して回動自在に設けていた。
【０００３】
【特許文献１】
特開２００１−２１８７１７号公報（第４頁第７行−同第２０行、図２、図２１、図２２）
【０００４】
【発明が解決しようとする課題】
しかしながら、上記特許文献１に記載の技術においては、本体ケースを組み合わせた状態で掃除機本体の嵌合穴にハンドル回動軸を嵌め込むようにしているので、ハンドルの取付けにあたりハンドルの回動軸間を大きく開く必要があり、組立性が悪かった。
【０００５】
また、部品交換等メンテナンスにより掃除機本体を分解する必要が生じた場合、このハンドルの回動軸間を大きく開いた状態でハンドルを掃除機本体から外さなければならず、煩わしいといった欠点があった。
【０００６】
そこで、本発明は上記課題を解決し、組立性がよく、メンテナンス性に優れた電気掃除機を提供することにある。
【０００７】
【課題を解決するための手段】
上記の目的を達成するために本発明の特徴とするところは、二つ以上の構成部品を組み合わせ、内部に電動送風機を内蔵する掃除機本体と、該掃除機本体に回動自在に設けられ、前記掃除機本体を持ち運ぶ際に使用する本体ハンドルとを有し、前記本体ハンドルは単品で構成されると共に、前記掃除機本体を構成する構成部品で挟み込むように設けたことにある。
【０００８】
また、本発明の特徴とするところは、上記第一の手段に加え、前記本体ハンドルの指がかかる所は、該本体ハンドルを前記掃除機本体に収納した時に、該掃除機本体により隠れるように設けたことにある。
【０００９】
さらにまた、本発明の特徴とするところは、上記第一の手段に加え、前記掃除機本体に、前記本体ハンドルを収納する収納部を形成し、該収納部より掃除機本体内側に凸形状となるような箇所を設けることにより、他の部品を支持できるように設けたことにある。
【００１０】
【発明の実施の形態】
以下、本発明の実施形態を図１と図２を用いて説明する。
図１は本発明の実施形態にかかる電気掃除機の断面図であり、図２は本発明の実施形態にかかる電気掃除機の外観側面図である。図１及び図２において、掃除機本体１０１の上方にはダストカップ１０２、下方には吸口１０３を備え、ダストカップ１０２は伸縮ホース１０４と接続されている。
【００１１】
ダストカップ１０２は塵埃の溜まり具合が分かるように透明材料にて形成されており、塵埃が溜まった時・吸込みが弱くなった時にはプッシュクランプ１０５を押しながら取り外し洗浄することができる。また掃除機本体１０１には、塵埃が溜まった場合に動作し、電動送風機１０６の発熱を防止するためにバイパスバルブ（図示せず）を設けている。
【００１２】
掃除機本体１０１には掃除の際に使用するハンドル１０７が接続されており、ハンドルストッパー１０８のロックを解除することで、図１の如く折りたためる様に回動部を設けてあり、収納スペースを小さくすることができる。またハンドル１０７の上部には掃除機の運転および停止を制御するスイッチ１０９を設けている。
【００１３】
図３は掃除機運転時の吸気と排気の流れを示している。電動送風機１０６からの吸気流は、吸口１０３から塵埃と共に吸込まれ、継ぎ手Ｌ１１１，継ぎ手Ｕ１１２を通り伸縮ホース１０４を介してダストカップ１０２に入る。ダストカップ上部室１１３（サイクロン室）にて塵埃と空気に回転分離されダストカップ下部室１１４に圧縮される。一方、電動送風機１０６からの排気流は、吸口排気口１１６と本体排気口１１５に分岐される。本体排気口１１５に向う排気流の一部はコードリール室１１７に入り電源コード１１８を冷却する。また、吸口排気口１１６に向う排気流は継ぎ手Ｕ１１２、継ぎ手Ｌ１１１を通り、吸口排気口１１６から吸口内部に排出される。
【００１４】
また、掃除機本体１０１の持ち運びに使用する本体ハンドル１１０は掃除機本体１０１と別体で設けており、掃除機本体１０１に収納できるように設けている。
【００１５】
図４は本体ハンドル１１０の回動状態を斜視図であり、図５は本体ハンドル１１０の断面図であり、本体ハンドルを収納している状態を示している。
【００１６】
図４及び図５において、本体ハンドル１１０は回動軸５０１を中心に回動自在とし、掃除機本体の構成部品である本体ケースＬ４０１，本体ケースＲ４０２により挟み込むように設けている。これにより、本体ハンドル１１０を取り付ける際に、応力が一切かからず信頼性を確保でき、更に本体ハンドル１１０を固定するためのねじ等の部品が不要となり、本体ハンドル１１０の部品点数を単品とすることができるようになり、小型、軽量化となっている。なお、掃除機本体を１０１を構成する部品は本体ケースＬ４０１，本体ケースＲ４０２だけで構成するものではなく、二つ以上の構成部品を組み合わせるように構成してもよい。
【００１７】
また、本体ハンドル１１０を収納した際は、掃除機本体１０１の側面に凹形状の収納部Ａ４０３を設けており、外観を損なわないようになっている。更に、本体ハンドル１１０を起こし上げ易いように、掃除機本体の収納部Ａ４０３を一部広げた凹形状Ｂ４０４を設けている。
【００１８】
また、掃除機本体１０１を持ち運ぶ際に、本体ハンドル１１０に指がかかる所の形状４０５は、本体ハンドル１１０収納時に、掃除機本体の収納部Ａ４０３により、隠れる構造となっている。このため、外観を気にせずに本体ハンドル１１０に指のかかる所４０５の形状を任意にすることができるため、本体ハンドル１１０を持ち易い形状とすることで操作性に優れたものとなっている。
【００１９】
また、本体ハンドル１１０を収納する収納部Ａ４０３より掃除機本体１０１内側へ凸形状となるリブ５０２を設けてあり、このリブ５０２と本体ケースＬ４０１との間に排気フィルター５０３を挟み込むことで、排気フィルター５０３を支持している。このため排気フィルター５０３を支持する部品を設けることなく、部品数を減らし軽量化となっている。
【００２０】
【発明の効果】
以上説明したように本発明によれば、本体ハンドルを単品で構成し、このハンドルを掃除機本体を構成する構成部品で挟み込むように設けたので、本体ハンドルに応力を付加することなく組み込めることにより、組立性、信頼性に優れた電気掃除機を提供することができる。
【００２１】
また、本発明によれば、本体ハンドルの指がかかる所を、該本体ハンドルを前記掃除機本体に収納した時に、該掃除機本体により隠れるように設けたので、外観を損なうことなく本体ハンドルの形状を持ち運びやすいような手の形に合うものにすることができ、操作性に優れた電気掃除機を提供することができる。
【００２２】
さらにまた、本発明によれば、掃除機本体に、本体ハンドルを収納する収納部を形成し、該収納部より掃除機本体内側に凸形状となるような箇所を設け、他の部品を支持できるように設けたので、部品点数を増やすことなく小型、軽量化に優れた電気掃除機を提供することができる。
【図面の簡単な説明】
【図１】本発明の実施形態にかかる電気掃除機の断面図である。
【図２】本発明の実施形態にかかる電気掃除機の外観側面図である。
【図３】本発明の実施形態にかかる電気掃除機の断面図である。
【図４】本発明の実施形態にかかる電気掃除機の斜視図である。
【図５】図１におけるＡ−Ａ断面図である。
【符号の説明】
１０１…掃除機本体、１０２…ダストカップ、１０３…吸口、１０４…伸縮ホース、１０５…プッシュクランプ、１０６…電動送風機、１０７…ハンドル、１０８…ハンドルストッパー、１０９…スイッチ、１１０…本体ハンドル、１１１…継ぎ手Ｌ、１１２…継ぎ手Ｕ、１１３…ダストカップ上部室、１１４…ダストカップ下部室、１１５…本体排気口、１１６…吸口排気口、１１７…コードリール室、１１８…電源コード、４０１…本体ケースＬ、４０２…本体ケースＲ、４０３…収納部Ａ、４０４…凹形状Ｂ、４０５…本体ハンドルに指のかかる所、５０１…回動軸、５０２…リブ、５０３…排気フィルター、６０１…従来の本体ハンドル、６０２…ねじ、６０３…従来の本体ハンドルに指がかかる所。
【図１】
2004216002.tif 000003
【図２】
2004216002.tif 000004
【図３】
2004216002.tif 000005
【図４】
2004216002.tif 000006
【図５】
2004216002.tif 000007